(57)【要約】【課題】住宅の各部屋、廊下のインテリア効果を向上する機能を発揮する幅木を提供する。【解決手段】本発明にかかる幅木は、縦幅面は幅広に、横幅面は幅狭にした長尺平板の縦幅表面に上辺側に片寄って該長尺平板の長手方向に釘打ち込み隙間を設けた幅狭な浅長凹溝を形成し、該長尺平板の縦幅表面を該浅長凹溝の上側表面部分と下側表面部分に区分けし、前記上側表面部分は、住宅の各部屋、廊下を構成する壁材面の木目、色彩に馴染む木目、色彩を施し、前記下側表面部分は住宅の各部屋、廊下を構成する床材面の木目、色彩を施した構成とする。【選択図】図１
2015034390.tif 000002
【特許請求の範囲】
【請求項１】
表裏面である縦幅面は幅広に、厚みである横幅面は幅狭にした長尺平板の縦幅表面に上辺側に片寄って該長尺平板の長手方向に釘打ち込み隙間を設けた幅狭な浅長凹溝を形成し、該長尺平板の縦幅表面を該浅長凹溝の上側表面部分と下側表面部分に区分けし、前記上側表面部分は、住宅の各部屋、廊下を構成する壁材面の木目、色彩に馴染む木目、色彩を印刷して成るフィルムを貼着し、前記下側表面部分は住宅の各部屋、廊下を構成する床材面の木目、色彩を印刷して成るフィルムを貼着した構成とすることを特徴とする幅木。
【発明の詳細な説明】
【技術分野】
【０００１】
本発明は、住宅即ち、一戸建住宅、或いは集合住宅として特に乾式二重床形式を採用して建築されたマンション等の建築物の各部屋、廊下を構成するための壁材の裾部面と床材の面から成る角部に、配設する幅木に関する発明である。
【背景技術】
【０００２】
幅木については、もともと上記した住宅の各部屋、廊下の前記した角部に生じる隙間の隙間隠しとして使用される部材である。この部材についてこれまで各部屋、廊下の前記した角部に取り付けるのに際して各部屋、廊下の装飾機能を害さないように配慮されたものが開発され、これが公開実用昭和６３−４２７４２号公報に記載され、また、装飾機能を向上するものとしての配慮のもとに創作されたものが意匠登録第１０８７３５４号公報に記載されている。
また、マンション等の集合住宅を乾式二重床形式で建築したときの各居住部屋、廊下での居住者、来訪者の立ち振る舞いから発生する重量床衝撃音による不快感の生ずるのを有効に低減する機能を発揮するよう各部屋、廊下の壁材裾部面と床材による角部に配する幅木については特開２００５−３６４３１号公報、特開２０１２−１９７６０１号公報に記載されている。
【０００３】
前記したいずれの構造形式の建築物の住宅の各部屋、廊下に配する幅木の共通する構造は、幅木の縦幅面は幅広に、横幅面は幅狭とした長尺平板からできている。
【０００４】
ところで、上記した公報に記載された幅木は、いずれの型式の幅木も、幅木に特有の色彩を施して作られ幅木自身が、各部屋、廊下のインテリア効果を向上する機能を発揮する構成とすると言う考え方から作られる幅木はなかった。
【先行技術文献】
【特許文献】
【０００５】
【特許文献１】・・・特開２００５−３６４１３号公報
【特許文献２】・・・特開２０１２−１９７６０１号公報
【非特許文献】
【０００６】
【非特許文献１】・・・公開実用昭和６３−４２７４２号公報
【非特許文献２】・・・意匠登録第１０８７３５４号公報
【発明の概要】
【発明が解決しようとする課題】
【０００７】
本発明は、住宅即ち、一戸建住宅、或いは集合住宅であるマンション等の建築物の各部屋、廊下に配設する幅木について、各部屋、廊下に配設する幅木により各部屋、廊下のインテリア効果を向上することができるような機能を発揮する構造、色彩を施した構成形式から成る幅木を提供しようとするものである。
【課題を解決するための手段】
【０００８】
本発明にかかる幅木は、縦幅面（表裏面）は幅広に、横幅面（厚み）は幅狭にした長尺平板の縦幅表面に前記した長尺平板の上辺側に片寄って該長尺平板の長手方向に幅木を壁材に固定する釘を打ち込んだ釘の頭を隠す舌片を設けた釘打ち込み隙間を設けた幅狭な浅長凹溝を形成し、該長尺平板の縦幅表面を該浅長凹溝によって、該浅長凹溝の上側表面部分と下側表面部分に区分けし、前記上側表面部分は、住宅の各部屋、廊下を構成する壁材面の木目、色彩に馴染む木目、色彩を施し、前記下側表面部分は住宅の各部屋、廊下を構成する床材面の木目、色彩に馴染む木目、色彩を施した（図示しない）構成とする。
【発明の効果】
【０００９】
本発明の幅木は、上記のように構成したので、本発明に係る幅木を住宅の各部屋、廊下の壁材面の裾部に配設するときは、この幅木を各部屋、廊下の壁材の所定の位置に配置し、浅長凹溝の釘打ち込み隙間から、釘を打ち込む。これにより、本発明に係る幅木は幅木本来の機能である壁材と床材による角部に生ずる隙間を隠す隙間隠し部材としての機能を発揮する。
浅長凹溝は前記した舌片を設けた釘打ち込み隙間を設けたことにより、この浅長凹溝に設けた隙間に釘を打ち込むことにより、打ち込み釘の頭が前記した釘打ち込み隙間に設けた舌片により見えなくなる。それだけでなく、本発明に係る幅木は前項に記載したように幅木の上側表面部分と下側表面部分とはそれぞれ各部屋、廊下を構成する壁材、床材の木目、色彩に馴染む色別手段が講じられているので上記の構成とした幅木は、幅木の立体感を顕著に発揮し、住宅の各部屋、廊下のインテリア効果を引き立てる機能を発揮することになる。
【図面の簡単な説明】
【００１０】
【図１】住宅の各部屋、廊下に配設した本発明に係る幅木の一部を切欠した斜視図
【図２】本発明に係る幅木を各部屋、廊下に配設するために釘打ち隙間を設けた浅長凹溝の釘打ち隙間に釘を打ち込んだ状態の説明図
【実施例】
【００１１】
本発明にかかる幅木１の構造を図面に示して説明する。
本発明にかかる幅木１は、図１に示すように縦幅面２（表裏面）は幅広に、横幅面３（厚み）は幅狭に形成した長尺平板４とし、長尺平板４の表面には図２に示すように長尺平板４の上辺側に近寄って長尺平板４の長手方向に平行した前垂れ舌片５Ａ付き釘打ち込み隙間５を形成した浅長凹溝６を形成する。
【００１２】
従って、該長尺平板４は、該長尺平板４の表面に形成した浅長凹溝６を介在して、該長尺平板４の表面を上部表面部４Ａと下部表面部４Ｂとに区分けされることになる。
【００１３】
前記した長尺平板４の表面側に形成された浅長凹溝６は、図２に示すように幅木１を各部屋、廊下の壁材面１２に配設するときの固定手段としての釘打ちを行うための釘打ち込み隙間５を設けた釘打ち部とする。
【００１４】
前記した長尺平板４の表面に形成された浅長凹溝６によって区分けされた上部表面部４Ａは、前記した浅長凹溝５を境の少なくとも上辺、即ち、浅長凹溝の上辺となる前記段落番号０００８の項に記載した舌片５Ａの下辺から上側は該長尺平板４の上側面をくるんで各部屋、廊下を構成する壁材面２の木目、色彩に馴染む木目、色彩に色づけし、該浅長凹溝６によって区分けされた下部表面部４Ｂは、各部屋、廊下を構成する床材面１３の木目、色彩に馴染む木目、色彩に色づけする。
【００１５】
上記した構成とした幅木１は、各部屋、廊下の壁材１２面裾部と床材１３面とで構成される角部に配し、従法による手段によって各部屋、廊下の壁材の裾部に配設する。即ち、幅木１の裏面には該幅木を壁材に接着する接着剤を塗布し、幅木１である長尺平板４の表面に形成された浅長凹溝６は釘打ち部５を設けた釘打ち込み部として構成し、この幅木を壁材に接着するとともに、この釘打ち込み隙間５に釘８を打ち込んで、該幅木を各部屋、廊下の壁材１２面の裾部に配設固定する。
この釘８の打ち込み隙間５は、浅長凹溝６の釘打ち込み隙間５に釘８を打ち込むようになっているので、図２に図示するように該箇所に打ち込んだ釘８の頭は、釘打ち込み隙間５を形成する打ち込み釘の頭を隠す舌片５Ａの下に潜り込むようになるので幅木の表面から見えない状態となる効果を発揮する。
【００１６】
上記の操作により、本発明に係る幅木は住宅の各部屋、廊下の壁材裾部に壁材の幅方向に沿って配設される。
【００１７】
この配設は、幅木の上記した箇所に設けた浅長凹溝６である凹凸面をもった構造に立体面から成る幅木として配設され、しかも、幅木の上側部４Ａと下側部４Ｂとには段落番号００１４に記載したように明確に区別できる木目、色彩が施されて配設されているから、この幅木を所定の場所に配設したときは幅木の存在は鮮明に認識され、この幅木によって、この幅木を配設した各部屋、廊下のインテリア効果を向上することができる効果を発揮する。
【００１８】
幅木はもともと、特開２００５−３６４１３号、特開２０１２−１９７６０１号公報に記載されているように建築物である住宅の各部屋、或いは廊下を構成する壁材と床材とが接する壁材裾部の角部に生ずる隙間の隙間隠しのための部材として壁材の裾部に固定して用いられるものである。
【００１９】
その固定材としての幅木の固定手段として釘打ちによる手段が採用されるが、その固定手段で釘打ち手段による釘の頭が見えたのでは各部屋、廊下のインテリア効果を損なうと言う不都合を生じることになる。この不都合を解消しようとする機能を発揮するよう開発された考案が先行技術文献の非特許文献１に示す考案である。
【００２０】
また、幅木による各部屋、廊下のインテリア効果を高めようとして創作された意匠が先行技術文献の非特許文献２に示す形状のものが創作されている。
【００２１】
即ち、幅木は、前記したように本来は住宅の壁材裾部と床材が接する角部に生ずる隙間隠し材として用いられるものであるが、その効用は各部屋、廊下のインテリア効果を高揚する点も配慮されたものとして開発されている。但し、これまでの幅木は単色のものとして使われていた。
【００２２】
本発明に係る幅木は、幅木を壁材に固定するときの釘打ちを行うときの釘の頭を隠す上記した隙間隠し、インテリア効果の二つの効果を発揮する幅木として開発されたものである。
即ち、その幅木１は段落番号００１２、００１４に記載した通りの効果を発揮する構成とした。
【００２３】
ところで、住宅内の各部屋や場合によっては、少なくとも生活必需品を収納する家具等を配置することが必要である。これらの家具は、これまではその住宅に住む人がそれぞれ自分の好みに合った家具を調達して各部屋や廊下に配設していた。
従って、各部屋や廊下は配設した家具が占めるスペースだけ狭くなると言う現象が生じていた。
【００２４】
ところが、最近の住宅ではこの現象の生じるのを阻止するため各部屋に配置する家具は、備え付け型の嵌め込み構造のものとする風潮が支配的となっている。
このことは廊下についても同じことが言える。
【００２５】
従って、この家具の物品の出し入れ口を配した側の面は各部屋や廊下の壁材の面と同じような平面構造に作られることになっている。
このような嵌め込み構造の家具を配した各部屋、廊下の裾部に配設する幅木はこれまでの幅木のように単色の幅木とすることでは各部屋、廊下のインテリア効果の向上に寄与する効能は少ない。
【００２６】
幅木は住宅の各部屋、廊下に配設するものであるからその配設は各部屋、廊下のインテリア効果を向上させる機能を発揮するものとするのが望ましいことは言うまでもない。
【００２７】
そこで、本発明は幅木を段落番号００１２、００１４に記載した構成とした。
即ち、幅木を構成する長尺板に形成した浅長凹溝の下側の下部表面部を構成する部分に床材の木目或いは色彩に馴染む木目或いは色彩を印刷したフィルム（図示しない）を配し、該浅長凹溝の上側の上部表面部を構成する部分に壁材或いは嵌め込み型家具の表面材の木目色彩を印刷したフィルム（図示しない）を貼着して前記色分けをする。この色分け（図示しない）は従来技術に従った一体押出成形方によって段落番号０００８の項に記載した構成の幅木とした。
【００２８】
前記した説明から、本明細書中「本発明に係る幅木の、浅長凹溝の上辺から上の上側の上側面をくるんで各部屋、廊下を構成する壁材面２の木目、色彩に馴染む木目、色彩とする」とは、壁材面２或いは壁材面と平面構造に配された家具の面の木目、色彩と馴染む木目、色彩と解釈するべきであることは言うまでもない。
【符号の説明】
【００２９】
１      幅木
４      長尺平板
４Ａ    壁材の木目、色彩に馴染む色づけをした幅木の上部表面
４Ｂ    壁材の木目、色彩に馴染む色づけをした幅木の下部表面
５      釘打ち部
６      浅長凹溝
【図１】
2015034390.tif 000003
【図２】
2015034390.tif 000004